(57)【要約】      （修正有）【課題】コードを弛ませることなく確実に固定することが可能なテレビジョンのコード処理構造を提供する。【解決手段】このテレビジョン（ＤＶＤ一体型テレビジョン１）のフロントキャビネット２は、電源コード７のブッシュ部７ｂを収容する収容部２２と、収容部２２と所定の間隔を隔てて形成された切欠部２４と、切欠部２４の開放端に向かって突出する固定片２５とを含む。また、ＤＶＤ一体型テレビジョン１のリアキャビネット３は、フロントキャビネット２側に向かって突出するように形成され、フロントキャビネット２の収容部２２に収容された電源コード７のブッシュ部７ｂを上方から押さえる一対のリブを下面に有する突出部と、フロントキャビネット２の固定片２５の下面と所定の間隔を隔てて切欠部２４内に挿入され、電源コード７の下方位置を規制するための下方規制部とを含む。【選択図】図２
0003109371.tif 000002
【実用新案登録請求の範囲】
【請求項１】
フロントキャビネットと、前記フロントキャビネットとともに筐体を構成するリアキャビネットと、前記筐体の内部から外部に引き出され、所定の位置にブッシュ部を含むコードとを備えたテレビジョンのコード処理構造において、
前記フロントキャビネットは、固定部を含み、
前記フロントキャビネットの固定部は、
前記リアキャビネットに接触する縁部の近傍に形成され、前記コードのブッシュ部を収容する収容部と、
前記収容部と所定の間隔を隔てて形成された切欠部と、
前記切欠部の開放端に向かって突出するとともに、一体的に形成された補強リブを有する固定片とを含み、
前記リアキャビネットは、
前記フロントキャビネット側に向かって突出するように形成され、前記フロントキャビネットの収容部に収容された前記コードのブッシュ部を上方から押さえるリブを下面に有する突出部と、
前記フロントキャビネットの固定片の下面と所定の間隔を隔てて前記切欠部内に挿入され、前記コードの下方位置を規制するための下方規制部とを含む、テレビジョンのコード処理構造。
【請求項２】
フロントキャビネットと、
前記フロントキャビネットとともに筐体を構成するリアキャビネットと、
前記筐体の内部から外部に引き出されるコードとを備え、
前記フロントキャビネットは、前記リアキャビネットに接触する縁部の近傍に形成され、前記コードを固定するための固定部を含み、
前記リアキャビネットは、前記フロントキャビネット側に向かって突出するように形成され、前記コードを上方から押さえるための突出部を含む、電子機器のコード処理構造。
【請求項３】
前記コードは、所定の位置にブッシュ部を含み、
前記フロントキャビネットの固定部は、前記コードのブッシュ部を収容する収容部を有し、
前記リアキャビネットの突出部は、前記フロントキャビネットの収容部に収容された前記コードのブッシュ部を上方から押さえる、請求項２に記載の電子機器のコード処理構造。
【請求項４】
前記フロントキャビネットの固定部は、前記フロントキャビネットの収容部と所定の間隔を隔てて形成された切欠部と、前記切欠部の開放端に向かって突出する固定片とを有し、
前記リアキャビネットは、前記フロントキャビネットの固定片の下面と所定の間隔を隔てて前記切欠部内に挿入され、前記コードの下方位置を規制するための下方規制部をさらに含む、請求項３に記載の電子機器のコード処理構造。
【請求項５】
前記フロントキャビネットの固定片は、前記固定片に一体的に形成された補強リブを有している、請求項４に記載の電子機器のコード処理構造。
【請求項６】
前記リアキャビネットの突出部は、前記突出部の下面にリブを有し、
前記突出部のリブは、前記フロントキャビネットの収容部に収容された前記コードのブッシュ部を上方から押さえる、請求項３〜５のいずれか１項に記載の電子機器のコード処理構造。
【考案の詳細な説明】
【技術分野】
【０００１】
この考案は、テレビジョンのコード処理構造および電子機器のコード処理構造に関し、特に、電源コードなどのコードを備えたテレビジョンのコード処理構造および電子機器のコード処理構造に関する。
【背景技術】
【０００２】
従来、電源コードなどのコードを備えたテレビジョン（電子機器）のコード処理構造が知られている（たとえば、特許文献１および特許文献２参照）。
【０００３】
上記特許文献１には、端部をＬ字状に折り曲げたシャーシの平坦部に形成された開口部と、折り曲げられたシャーシの端部に取り付けられたビスとによって、フラットケーブル（コード）を上下方向から挟み込むようにして保持する電気機器のケーブル保持構造が開示されている。この特許文献１に開示された従来の電気機器のケーブル保持構造では、開口部の上方に取り付けられたビスにより、開口部を介してフラットケーブルの一部をシャーシの下面側に押し込むことによって、フラットケーブルをビスに引っ掛けた状態で、開口部の内部に保持している。
【０００４】
また、上記特許文献２には、リアキャビネットの背面側に円筒形状のフックを一体的に形成することによって、装置の外部に配置されたコードを引っ掛けて保持するコード処理装置が開示されている。この特許文献２に開示された従来のコード処理装置において、リアキャビネットのフックは、フックの基部側に形成されたコードを挿入するための切り込み部と、切り込み部からフックの先端側に向かって形成されたコードを保持するための凹部とを有している。そして、装置の外部に配置されたコードを、フックの基部側に形成された切り込み部に挿入した後、フックの先端側に形成された凹部内に移動させることにより、コードをフック内に保持している。
【０００５】
ところが、上記特許文献１および特許文献２に開示されたような従来のコード処理構造では、コードを、保持部分に挿入して引っ掛けることにより保持しているので、コードが挿入方向とは別方向に引っ張られることにより保持状態が解除されて、コードが外れる場合があるという不都合がある。
【０００６】
そこで、従来、上記した不都合を解消するために、外力などによりコードが外れないようにコードを固定する技術が提案されている（たとえば、特許文献３参照）。
【０００７】
上記特許文献３には、フロントキャビネットにコードのブッシュ部分を収納する凹部を形成するとともに、リアキャビネットに、フロントキャビネットの凹部に収容されたコードのブッシュ部分を覆うための突出片を形成したテレビジョン受像機のコードの固定構造が開示されている。この特許文献３に開示された従来のテレビジョン受像機のコードの固定構造では、コードのブッシュ部分をフロントキャビネットの凹部に収納するとともに、リアキャビネットの突出片により上方を覆うことによって、コードのブッシュ部分を筐体に固定している。
【０００８】
また、従来、電源コードを備えたテレビジョンのコード処理構造が知られている。図１０は、従来の一例によるＤＶＤ一体型テレビジョンの全体構成を示した分解斜視図であり、図１１は、図１０に示した従来の一例によるＤＶＤ一体型テレビジョンの電源コードの固定構造を示した斜視図である。図１０および図１１を参照して、従来の一例によるＤＶＤ一体型テレビジョン１００のコード処理構造について説明する。
【０００９】
従来のＤＶＤ（デジタル多用途ディスク）一体型テレビジョン１００は、図１０に示すように、樹脂製のフロントキャビネット１０１と、樹脂製のリアキャビネット１０２と、ＤＶＤ一体型テレビジョン１００の制御を行うプリント配線基板１０３と、プリント配線基板１０３を支持するホルダ１０４と、ＤＶＤ（図示せず）を駆動させるためのＤＶＤ駆動装置１０５とを備えている。また、プリント配線基板１０３の後方側（矢印Ｒ方向）には、プリント配線基板１０３に電力を供給するための電源コード１０６が接続されている。この電源コード１０６は、図１０および図１１に示すように、樹脂製のブッシュ部１０６ａを有している。また、フロントキャビネット１０１の底面には、ホルダ１０４を固定するための一対の溝部１１１が形成されている。また、リアキャビネット１０２は、逃がし部１２１と、リアキャビネット１０２に一体的に形成された蓋部１２２とを有している。逃がし部１２１は、電源コード１０６をＤＶＤ一体型テレビジョン１００の内部から外部に引き出すために設けられている。また、蓋部１２２は、ホルダ１０４に固定された電源コード１０６のブッシュ部１０６ａを下方から押さえるために設けられている。また、プリント配線基板１０３には、２つの支柱挿入孔１３１と、２つの支柱挿入孔１３２とが設けられている。
【００１０】
また、ホルダ１０４には、プリント配線基板１０３の支柱挿入孔１３１および１３２に対応する箇所に支柱部１４１および１４２が、各々２つずつ設けられている。この支柱部１４１および１４２は、ＤＶＤ駆動装置１０５を支持する機能を有する。また、ホルダ１０４の支柱部１４１および１４２には、それぞれ、ネジ穴１４３が設けられている。また、ホルダ１０４の支柱部１４１には、支柱部１４１および１４２に載置されるＤＶＤ駆動装置１０５の位置決め（回り止め）をする位置決め部１４４が設けられている。また、ホルダ１０４の後方側（矢印Ｒ方向）の端部には、図１０に示すように、電源コード１０６を固定するための固定部１４５が形成されている。この固定部１４５は、図１１に示すように、収容部１４５ａと、フック部１４５ｂと、凹部１４５ｃとを含んでいる。収容部１４５ａは、電源コード１０６のブッシュ部１０６ｂを収容するために設けられており、電源コード１０６のブッシュ部１０６ａに対応する形状に形成されている。フック部１４５ｂは、電源コード１０６の弛みを防止するために設けられている。また、凹部１４５ｃは、プリント配線基板１０３に接続された電源コード１０６をホルダ１０４の下面に引き入れるために設けられている。また、ＤＶＤ駆動装置１０５には、ホルダ１０４の支柱部１４１および１４２のネジ穴１４３に対応する位置にネジ挿入穴１５１が設けられている。
【００１１】
次に、図１０および図１１を参照して、従来の一例によるＤＶＤ一体型テレビジョン１００における電源コード１０６の固定方法を説明する。まず、図１０に示したプリント配線基板１０３に設けられた支柱挿入孔１３１および１３２に、ホルダ１０４の支柱部１４１および１４２をそれぞれ挿入する。そして、プリント配線基板１０３の上方にＤＶＤ駆動装置１０５を配置し、ＤＶＤ駆動装置１０５のネジ挿入穴１５１を介して、支柱部１４１および１４２のネジ穴１４３にネジ（図示せず）を締め付ける。これにより、ホルダ１０４に、プリント配線基板１０３およびＤＶＤ駆動装置１０５が組み付けられる。次に、プリント配線基板１０３、ホルダ１０４およびＤＶＤ駆動装置１０５を組み付けた状態から、ホルダ１０４を前方側（矢印Ｆ方向）に移動して、ホルダ１０４の図示しない脚部をフロントキャビネット１０１の溝部１１１に嵌め込む。そして、図１１に示したプリント配線基板１０３に取り付けられている電源コード１０６のブッシュ部１０６ａを、電源コード１０６がホルダ１０４の凹部１４５ｃおよびフック部１４５ｂを経由するように、収容部１４５ａ側に移動する。そして、電源コード１０６のブッシュ部１０６ａを収容部１４５ａの下方（矢印Ｂ方向）から移動させて、収容部１４５ａ内に収容する。そして、フロントキャビネット１０１の後方からリアキャビネット１０２を嵌め込むとともに、リアキャビネット１０２の蓋部１２２により電源コード１０６のブッシュ部１０６ａを下方から押さえる。このようにして、従来のＤＶＤ一体型テレビジョン１００における電源コー
ド１０６の固定が完了する。
【特許文献１】実開平５−６７０６１号公報
【特許文献２】実用新案登録第３０６７６７７号
【特許文献３】実用新案登録第３０６０９５２号
【考案の開示】
【考案が解決しようとする課題】
【００１２】
しかしながら、図１０および図１１に示した従来の一例によるＤＶＤ一体型テレビジョン１００のコード処理構造では、電源コード１０６を固定するための固定部１４５がホルダ１０４に設けられているので、プリント配線基板１０３をそのままの大きさに維持しながらホルダ１０４のみを小型化する場合には、プリント配線基板１０３の電源コード１０６の接続箇所からホルダ１０４の固定部１４５までの距離が長くなる。これにより、電源コード１０６のプリント配線基板１０３側の端部からブッシュ部１０６ａまでの間隔が大きくなるので、プリント配線基板１０３を支持するホルダ１０４のみを小型化する場合には、電源コード１０６のプリント配線基板１０３側の端部からブッシュ部１０６ａまでの間に弛みが発生する場合があるという問題点があった。
【００１３】
また、上記特許文献３では、コードのブッシュ部分を固定しているものの、コードのブッシュ部分以外の部分についての固定を行っていないので、コードに弛みが発生する場合があるという問題点がある。
【００１４】
この考案は、上記のような課題を解決するためになされたものであり、コードを弛ませることなく確実に固定することが可能なテレビジョンのコード処理構造および電子機器のコード処理構造を提供することを目的とする。
【課題を解決するための手段】
【００１５】
上記目的を達成するために、この考案の第１の局面によるテレビジョンのコード処理構造は、フロントキャビネットと、フロントキャビネットとともに筐体を構成するリアキャビネットと、筐体の内部から外部に引き出され、所定の位置にブッシュ部を含むコードとを備えたテレビジョンのコード処理構造において、フロントキャビネットは、固定部を含み、フロントキャビネットの固定部は、リアキャビネットに接触する縁部の近傍に形成され、コードのブッシュ部を収容する収容部と、収容部と所定の間隔を隔てて形成された切欠部と、切欠部の開放端に向かって突出するとともに、一体的に形成された補強リブを有する固定片とを含み、リアキャビネットは、フロントキャビネット側に向かって突出するように形成され、フロントキャビネットの収容部に収容されたコードのブッシュ部を上方から押さえるリブを下面に有する突出部と、フロントキャビネットの固定片の下面と所定の間隔を隔てて切欠部内に挿入され、コードの下方位置を規制するための下方規制部とを含む。
【００１６】
この第１の局面によるテレビジョンのコード処理構造では、上記のように、フロントキャビネットに、コードのブッシュ部を収容する収容部を設けるとともに、リアキャビネットに、コードのブッシュ部を上方から押さえる突出部を設けることによって、コードのブッシュ部をフロントキャビネットの収容部に収容するとともに、リアキャビネットの突出部により上方から押さえることができるので、コードのブッシュ部を確実に固定することができる。また、フロントキャビネットに、切欠部と、切欠部の開放端に向かって突出する固定片とを設けるとともに、リアキャビネットに、フロントキャビネットの固定片の下面と所定の間隔を隔てて切欠部内に挿入される下方規制部を設けることによって、フロントキャビネットの固定片により、コードを上方から押さえながら切欠部の内部に収容することができるので、コードが上方に弛むのを抑制することができる。また、この場合、リ
アキャビネットの下方規制部により、切欠部内に収容されたコードが下方に所定量以上移動するのを規制することができるので、切欠部内に収容されたコードが下方に弛むのを抑制することができる。すなわち、フロントキャビネットに設けられた切欠部および固定片と、リアキャビネットに設けられた下方規制部とにより、コードのブッシュ部以外の部分を上下方向に弛ませることなく固定することができる。以上により、筐体を構成するフロントキャビネットおよびリアキャビネットによって、コードを確実に固定することができるので、コードが接続されているプリント配線基板や筐体の大きさを変化させずに、プリント配線基板を支持する支持部材のみを小型化したとしても、コードの固定構造が影響を受けることがない。その結果、プリント配線基板を支持する支持部材のみを小型化した場合にも、コードを弛ませることなく固定することができる。
【００１７】
また、第１の局面によるテレビジョンのコード処理構造では、上記のように、切欠部および固定片を収容部と所定の間隔を隔てた位置に設けることによって、切欠部および固定片により、収容部に収容されたコードのブッシュ部から所定の間隔を隔てたコードの箇所が弛むのを抑制することができるので、コードに弛みが発生するのをより効果的に抑制することができる。また、フロントキャビネットの固定片に補強リブを一体的に形成することによって、部品点数を増加させることなく、固定片を補強することができるので、コードからの応力などにより固定片が破損するのを抑制することができる。また、リアキャビネットの突出部の下面にリブを設けることによって、リブにより突出部を補強することができるとともに、フロントキャビネットの収容部に収容されたコードのブッシュ部を上方から押さえることができる。
【００１８】
この考案の第２の局面による電子機器のコード処理構造は、フロントキャビネットと、フロントキャビネットとともに筐体を構成するリアキャビネットと、筐体の内部から外部に引き出されるコードとを備え、フロントキャビネットは、リアキャビネットに接触する縁部の近傍に形成され、コードを固定するための固定部を含み、リアキャビネットは、フロントキャビネット側に向かって突出するように形成され、コードを上方から押さえるための突出部を含む。
【００１９】
この第２の局面による電子機器のコード処理構造では、上記のように、フロントキャビネットに、コードを固定するための固定部を設けるとともに、リアキャビネットに、コードを上方から押さえるための突出部を設けることによって、筐体を構成するフロントキャビネットおよびリアキャビネットによりコードを固定することができるので、コードが接続されているプリント配線基板や筐体の大きさを変化させずに、プリント配線基板を支持する支持部材のみを小型化したとしても、コードの固定構造が影響を受けることがない。その結果、プリント配線基板を支持する支持部材のみを小型化した場合にも、コードを弛ませることなく固定することができる。また、コードを固定するための固定部を設けることによって、固定部によりコードのブッシュ部以外の部分をも固定することができるので、コードに弛みが発生するのを抑制することができる。また、コードを固定するための固定部と、コードを上方から押さえるための突出部とを設けることによって、コードを固定するとともに、上方から押さえることができるので、コードを確実に固定することができる。
【００２０】
上記第２の局面による電子機器のコード処理構造において、好ましくは、コードは、所定の位置にブッシュ部を含み、フロントキャビネットの固定部は、コードのブッシュ部を収容する収容部を有し、リアキャビネットの突出部は、フロントキャビネットの収容部に収容されたコードのブッシュ部を上方から押さえる。このように構成すれば、コードのブッシュ部をフロントキャビネットの収容部に収容するとともに、リアキャビネットの突出部により上方から押さえることができるので、コードのブッシュ部を確実に固定することができる。
【００２１】
この場合、好ましくは、フロントキャビネットの固定部は、フロントキャビネットの収容部と所定の間隔を隔てて形成された切欠部と、切欠部の開放端に向かって突出する固定片とを有し、リアキャビネットは、フロントキャビネットの固定片の下面と所定の間隔を隔てて切欠部内に挿入され、コードの下方位置を規制するための下方規制部をさらに含む。このように構成すれば、フロントキャビネットに、切欠部の開放端に向かって突出する固定片を設けることによって、コードを上方から押さえながら切欠部の内部に収容することができるので、コードが上方に弛むのを抑制することができる。また、リアキャビネットに、フロントキャビネットの固定片の下面と所定の間隔を隔てて切欠部内に挿入される下方規制部を設けることによって、下方規制部により、切欠部内に収容されたコードが下方に所定量以上移動するのを規制することができるので、切欠部内に収容されたコードが下方に弛むのを抑制することができる。以上により、フロントキャビネットに設けられた切欠部および固定片と、リアキャビネットに設けられた下方規制部とにより、コードのブッシュ部以外の部分を上下方向に弛ませることなく固定することができる。また、切欠部および固定片を収容部と所定の間隔を隔てた位置に設けることによって、切欠部および固定片により、収容部に収容されたコードのブッシュ部から所定の間隔を隔てたコードの箇所が弛むのを抑制することができるので、コードに弛みが発生するのをより効果的に抑制することができる。
【００２２】
上記固定片を含む構成において、好ましくは、フロントキャビネットの固定片は、固定片に一体的に形成された補強リブを有している。このように構成すれば、一体的に形成された補強リブにより、部品点数を増加させることなく、固定片を補強することができるので、コードからの応力などにより固定片が破損するのを抑制することができる。
【００２３】
上記フロントキャビネットが収容部を含む構成において、好ましくは、リアキャビネットの突出部は、突出部の下面にリブを有し、突出部のリブは、フロントキャビネットの収容部に収容されたコードのブッシュ部を上方から押さえる。このように構成すれば、リアキャビネットの突出部の下面に設けられたリブにより突出部を補強することができるとともに、フロントキャビネットの収容部に収容されたコードのブッシュ部を上方から押さえることができる。
【考案を実施するための最良の形態】
【００２４】
以下、本考案の実施形態を図面に基づいて説明する。
【００２５】
図１は、本考案の一実施形態によるＤＶＤ一体型テレビジョンの全体構成を示した斜視図であり、図２は、図１に示した一実施形態によるＤＶＤ一体型テレビジョンを示した分解斜視図である。また、図３〜図６は、図１に示した一実施形態によるＤＶＤ一体型テレビジョンの電源コードの固定構造を示した図であり、図７〜図９は、図１に示した一実施形態によるＤＶＤ一体型テレビジョンにおける電源コードの固定方法を説明するための図である。まず、図１〜図６を参照して、本考案の一実施形態によるＤＶＤ一体型テレビジョン１の全体構成について説明する。なお、本実施形態では、本考案の「テレビジョン」および「電子機器」をＤＶＤ一体型テレビジョン１に適用した場合について説明する。
【００２６】
本考案の一実施形態によるＤＶＤ（デジタル多用途ディスク）一体型テレビジョン１は、図１および図２に示すように、樹脂製のフロントキャビネット２と、樹脂製のリアキャビネット３と、ＤＶＤ一体型テレビジョン１の制御を行うプリント配線基板４（図２参照）と、プリント配線基板４を支持する樹脂製のホルダ５（図２参照）と、ＤＶＤ（図示せず）を駆動させるためのＤＶＤ駆動装置６（図２参照）とを備えている。なお、本実施形態では、フロントキャビネット２は、ＤＶＤ一体型テレビジョン１の前面および底面を構成し、リアキャビネット３は、ＤＶＤ一体型テレビジョン１の上面、両側面および背面を
構成している。また、本実施形態では、図２に示すように、プリント配線基板４の後方側（矢印Ｒ方向）には、プリント配線基板４に電力を供給するための電源コード７が接続されている。この電源コード７は、図２、図４および図５に示すように、外周に溝部７ａが形成された樹脂製のブッシュ部７ｂを有している。なお、フロントキャビネット２およびリアキャビネット３は、本考案の「筐体」の一例であり、電源コード７は、本考案の「コード」の一例である。
【００２７】
また、図１に示すように、ＤＶＤ一体型テレビジョン１の前面には、映像などの表示を行うための表示画面８と、ＤＶＤ（図示せず）を挿入するためのＤＶＤ挿入口９と、端子差込口１０と、ＤＶＤ一体型テレビジョン１の操作を行うための複数の操作ボタン１１とが配置されている。また、フロントキャビネット２の内面には、図２に示すように、プリント配線基板４を支持する一対の基板用レール１２と、ホルダ５を支持する一対のホルダ用レール１３とが設けられている。
【００２８】
ここで、本実施形態では、フロントキャビネット２は、図２に示すように、ＤＶＤ一体型テレビジョン１の背面にまで達する平板状の底面部２ａを有している。フロントキャビネット２の底面部２ａの後方側（矢印Ｒ方向）の端部には、図２および図４に示すように、電源コード７を固定するためのフロント側固定部２１が形成されている。なお、フロント側固定部２１は、本考案の「固定部」の一例である。このフロント側固定部２１は、収容部２２と、収容部２２の前方側（矢印Ｆ方向）に連続して形成される凹部２３と、収容部２２と所定の間隔を隔てた位置に形成された切欠部２４と、切欠部２４の開放端に向かって突出するように形成された固定片２５とを含んでいる。収容部２２は、図３〜図５に示すように、電源コード７のブッシュ部７ｂを収容するために設けられており、電源コード７のブッシュ部７ｂに対応する形状に形成されている。この収容部２２には、ブッシュ部７ｂの溝部７ａに嵌まり込む支持部２２ａが形成されている。また、凹部２３は、図５に示すように、収容部２２に向かうにしたがって深くなるような形状に形成されている。これにより、収容部２２にブッシュ部７ｂを収容した際に、ブッシュ部７ｂ近傍の電源コード７が凹部２３の底面に沿って誘導されるので、ブッシュ部７ｂ近傍の電源コード７が折れ曲がるのを抑制することが可能である。また、固定片２５には、図３および図６に示すように、上面に補強リブ２５ａが一体的に形成されている。
【００２９】
また、本実施形態では、リアキャビネット３には、図４に示すように、フロントキャビネット２のフロント側固定部２１に対応する位置にリア側固定部３１が形成されている。リア側固定部３１は、突出部３２と、逃がし部３３と、下方規制部３４とを有している。突出部３２は、図５に示すように、リアキャビネット３の内面からフロントキャビネット２側（矢印Ｆ方向）に向かって突出するようにリアキャビネット３に一体的に形成されている。この突出部３２は、図３および図４に示すように、突出部３２の下面に一体的に形成された一対のリブ３２ａを有している。この一対のリブ３２ａは、フロントキャビネット２の収容部２２に収容された電源コード７のブッシュ部７ｂを上方から押さえるために設けられている。また、リブ３２ａは、図５および図６に示すように、突出部３２の先端に対応する位置に傾斜部３２ｂを有している。これにより、容易に、リブ３２ａを電源コード７のブッシュ部７ｂの上面に当接させながら、リアキャビネット３をフロントキャビネット２に組み付けることが可能になる。逃がし部３３は、図５に示すように、突出部３２の下方に形成されている。この逃がし部３３は、電源コード７をＤＶＤ一体型テレビジョン１の内部から外部に引き出すために設けられている。下方規制部３４は、図６に示すように、フロントキャビネット２の固定片２５の下面と所定の間隔を隔てて切欠部２４の内部に挿入される位置に一体的に形成されている。この下方規制部３４の先端には、傾斜部３４ａが形成されている。下方規制部３４の先端に傾斜部３４ａを形成することによって、下方規制部３４を切欠部２４の内部に挿入した際に、電源コード７が下方規制部３４の先端により損傷するのを抑制することが可能になる。
【００３０】
また、図２に示すように、プリント配線基板４には、２つの支柱挿入孔４１と、２つの支柱挿入孔４２とが設けられている。また、ホルダ５には、プリント配線基板４の支柱挿入孔４１および４２に対応する箇所に支柱部５１および５２が、各々２つずつ設けられている。この支柱部５１および５２は、ＤＶＤ駆動装置６を支持する機能を有する。また、ホルダ５の支柱部５１および５２には、それぞれ、ネジ穴５３が設けられている。また、ホルダ５の支柱部５１には、支柱部５１および５２に載置されるＤＶＤ駆動装置６の位置決め（回り止め）をする位置決め部５４が設けられている。また、本実施形態では、図１０に示した従来の場合と異なり、ホルダ５は、プリント配線基板４の平面積より小さい平面積（本実施形態では、約１／３の平面積）を有する。また、ホルダ５には、フロントキャビネット２のホルダ用レール１３に係合するレール係合部５５が設けられている。また、ＤＶＤ駆動装置６には、ホルダ５の支柱部５１および５２のネジ穴５３に対応する位置にネジ挿入穴６１が設けられている。
【００３１】
次に、図２、図３および図５〜図９を参照して、本実施形態によるＤＶＤ一体型テレビジョン１における電源コード７の固定方法を説明する。まず、図２に示したプリント配線基板４に設けられた支柱挿入孔４１および４２に、ホルダ５の支柱部５１および５２をそれぞれ挿入する。そして、プリント配線基板４の上方にＤＶＤ駆動装置６を配置し、ＤＶＤ駆動装置６のネジ挿入穴６１を介して、支柱部５１および５２のネジ穴５３にネジ（図示せず）を締め付ける。これにより、プリント配線基板４およびＤＶＤ駆動装置６がホルダ５に組み付けられる。次に、プリント配線基板４、ホルダ５およびＤＶＤ駆動装置６を組み付けた状態から、プリント配線基板４を、前方側（矢印Ｆ方向）に移動して、フロントキャビネット２の底面に設けられた一対の基板用レール１２に嵌め込む。また、同様にして、ホルダ５のレール係合部５５を、フロントキャビネット２の底面に設けられた一対のホルダ用レール１３に嵌め込む。
【００３２】
ここで、本実施形態では、図７に示したプリント配線基板４に取り付けられている電源コード７のブッシュ部７ａを、電源コード７が突出片２５の下方側を経由するように、収容部２２側に移動させる。そして、図８に示した電源コード７のブッシュ部７ｂを収容部２２の上方から移動させて、収容部２２内に収容する。このとき、図９に示すように、ブッシュ部７ｂの溝部７ａに収容部２２の支持部２２ａが入り込むことにより、ブッシュ部７ｂを収容部２２に確実に固定することが可能である。そして、図２に示したフロントキャビネット２の後方からリアキャビネット３を嵌め込む。これによって、図５に示すように、リアキャビネット３の突出部３２の下面に形成された一対のリブ３２ａが、収容部２２に収容された電源コード７のブッシュ部７ｂを上方から押さえた状態になる。また、フロントキャビネット２にリアキャビネット３を嵌め込むことによって、リアキャビネット３の下方規制部３４がフロントキャビネット２の切欠部２２の内部に挿入される。そして、下方規制部３４は、図６に示すように、固定片２５の下面側に接触している電源コード７の下方側に配置される。これにより、図３に示した状態になり、本実施形態によるＤＶＤ一体型テレビジョン１における電源コード７の固定が完了する。
【００３３】
本実施形態では、上記のように、フロントキャビネット２に、電源コード７のブッシュ部７ｂを収容する収容部２２を設けるとともに、リアキャビネット３に、電源コード７のブッシュ部７ｂを上方から押さえる突出部３２を設けることによって、電源コード７のブッシュ部７ｂをフロントキャビネット２の収容部２２に収容するとともに、リアキャビネット３の突出部３２により上方から押さえることができるので、電源コード７のブッシュ部７ｂを確実に固定することができる。また、フロントキャビネット２に、切欠部２４と、切欠部２４の開放端に向かって突出する固定片２５とを設けるとともに、リアキャビネット３に、フロントキャビネット２の固定片２５の下面と所定の間隔を隔てて切欠部２４内に挿入される下方規制部３４を設けることによって、フロントキャビネット２の固定片
２５により、電源コード７を上方から押さえながら切欠部２４の内部に収容することができるので、電源コード７が上方に弛むのを抑制することができる。また、この場合、リアキャビネット３の下方規制部３４により、切欠部２４内に収容された電源コード７が下方に所定量以上移動するのを規制することができるので、切欠部２４内に収容された電源コード７が下方に弛むのを抑制することができる。すなわち、フロントキャビネット２に設けられた切欠部２４および固定片２５と、リアキャビネット３に設けられた下方規制部３４とにより、電源コード７のブッシュ部７ｂ以外の部分を上下方向に弛ませることなく固定することができる。以上により、筐体を構成するフロントキャビネット２およびリアキャビネット３によって、電源コード７を確実に固定することができるので、電源コード７が接続されているプリント配線基板４や筐体の大きさを変化させずに、プリント配線基板４を支持するホルダ５のみを小型化したとしても、電源コード７の固定構造が影響を受けることがない。その結果、プリント配線基板４を支持するホルダ５のみを小型化した場合にも、電源コード７を弛ませることなく固定することができる。
【００３４】
また、本実施形態では、上記のように、切欠部２４および固定片２５を収容部２２と所定の間隔を隔てた位置に設けることによって、切欠部２４および固定片２５により、収容部２２に収容された電源コード７のブッシュ部７ｂから所定の間隔を隔てた電源コード７の箇所が弛むのを抑制することができるので、電源コード７に弛みが発生するのをより効果的に抑制することができる。
【００３５】
また、本実施形態では、上記のように、フロントキャビネット２の固定片２５に補強リブ２５ａを一体的に形成することによって、部品点数を増加させることなく、固定片２５を補強することができるので、電源コード７からの応力などにより固定片２５が破損するのを抑制することができる。
【００３６】
また、本実施形態では、上記のように、リアキャビネット３の突出部３２の下面に一対のリブ３２ａを設けることによって、一対のリブ３２ａにより突出部３２を補強することができるとともに、フロントキャビネット２の収容部２２に収容されたコード７のブッシュ部７ｂを上方から押さえることができる。
【００３７】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３８】
たとえば、上記実施形態では、テレビジョンおよび電子機器の一例として、ＤＶＤ駆動装置を含むＤＶＤ一体型テレビジョンを示したが、本考案はこれに限らず、コードを備えたテレビジョンおよび電子機器であれば、たとえば、ビデオデッキを含むビデオ一体型テレビジョンなどの他のテレビジョンおよび電子機器にも適用可能である。
【００３９】
また、上記実施形態では、本考案を、電源コードを備えたＤＶＤ一体型テレビジョンに適用した例について説明したが、本考案はこれに限らず、電源コード以外の映像ケーブルや音声ケーブルなどのコード類を備えた電子機器に広く適用可能である。
【図面の簡単な説明】
【００４０】
【図１】本考案の一実施形態によるＤＶＤ一体型テレビジョンの全体構成を示した斜視図である。
【図２】図１に示した一実施形態によるＤＶＤ一体型テレビジョンを示した分解斜視図である。
【図３】図１に示した一実施形態によるＤＶＤ一体型テレビジョンの電源コードの固定構造を示した斜視図である。
【図４】図３に示した一実施形態によるＤＶＤ一体型テレビジョンの電源コードの固定構造を示した平面図である。
【図５】図４中の２００−２００線に沿った断面図である。
【図６】図４中の３００−３００線に沿った断面図である。
【図７】図１に示した一実施形態によるＤＶＤ一体型テレビジョンにおける電源コードの固定方法を説明するための斜視図である。
【図８】図１に示した一実施形態によるＤＶＤ一体型テレビジョンにおける電源コードの固定方法を説明するための斜視図である。
【図９】図１に示した一実施形態によるＤＶＤ一体型テレビジョンにおける電源コードの固定方法を説明するための斜視図である。
【図１０】従来の一例によるＤＶＤ一体型テレビジョンの全体構成を示した分解斜視図である。
【図１１】図１０に示した従来の一例によるＤＶＤ一体型テレビジョンの電源コードの固定構造を示した斜視図である。
【符号の説明】
【００４１】
１  ＤＶＤ一体型テレビジョン（テレビジョン、電子機器）
２  フロントキャビネット（筐体）
３  リアキャビネット（筐体）
７  電源コード（コード）
７ｂ  ブッシュ部
２１  フロント側固定部（固定部）
２２  収容部
２４  切欠部
２５  固定片
２５ａ  補強リブ
３１  リア側固定部
３２  突出部
３２ａ  リブ
３４  下方規制部
【図１】
0003109371.tif 000003
【図２】
0003109371.tif 000004
【図３】
0003109371.tif 000005
【図４】
0003109371.tif 000006
【図５】
0003109371.tif 000007
【図６】
0003109371.tif 000008
【図７】
0003109371.tif 000009
【図８】
0003109371.tif 000010
【図９】
0003109371.tif 000011
【図１０】
0003109371.tif 000012
【図１１】
0003109371.tif 000013